【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
ワイヤレス通信システムにおける接続状態にあるワイヤレスデバイスのための方法であって、前記方法は、
アップリンクチャネルについて第１の送信サイクルを識別することと、
前記アップリンクチャネルについて前記第１の送信サイクルに関して第１のオフサイクルを識別することと、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信することと、ここにおいて、前記ワイヤレスデバイスは、前記第１のオフサイクル中に前記スケジューリング要求または前記ランダムアクセスチャネルメッセージを送信するのを控える、
を備え、
前記ワイヤレスデバイスが、前記第１の送信サイクルを利用するワイヤレスデバイスの第１のセットの一部であり、前記第１の送信サイクルが、ワイヤレスデバイスの第２のセットによって利用される第２の送信からスタッガされる、
方法。
【請求項２】
前記接続状態がＲＲＣ＿ＣＯＮＮＥＣＴＥＤ状態を備える、請求項１に記載の方法。
【請求項３】
前記ワイヤレスデバイスが、しきい値に関して定義された遅延耐性を有する遅延耐性デバイスを備え、前記遅延耐性が前記第１の送信サイクルに少なくとも部分的に基づく、請求項１に記載の方法。
【請求項４】
不連続送信（ＤＴＸ）サイクルが前記第１の送信サイクルと前記第１のオフサイクルとを備える、請求項１に記載の方法。
【請求項５】
基地局から前記ＤＴＸサイクルのインジケーションを受信することと、
前記受信されたＤＴＸサイクルインジケーションに従って送信することと
をさらに備える、請求項４に記載の方法。
【請求項６】
ＤＲＸ  ＯＮ持続時間とＤＲＸ  ＯＦＦ持続時間とを備える不連続受信（ＤＲＸ）サイクルマスクを利用することをさらに備え、ここにおいて、前記ワイヤレスデバイスは、前記ＤＲＸ  ＯＦＦ持続時間中に受信するのを控える、請求項４に記載の方法。
【請求項７】
前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、請求項６に記載の方法。
【請求項８】
前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、請求項６に記載の方法。
【請求項９】
ワイヤレス通信システムにおける接続状態にあるワイヤレスデバイスの過負荷制御のためのシステムであって、前記システムは、
アップリンクチャネルについて第１の送信サイクルを識別するための手段と、
前記アップリンクチャネルについて前記第１の送信サイクルに関して第１のオフサイクルを識別するための手段と、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信するための手段と、ここにおいて、前記ワイヤレスデバイスは、前記識別された第１の送信サイクルに従って前記スケジューリング要求または前記ランダムアクセスチャネルメッセージを送信するのを控える、
を備え、
前記ワイヤレスデバイスが、前記第１の送信サイクルを利用するワイヤレスデバイスの第１のセットの一部であり、前記第１の送信サイクルが、ワイヤレスデバイスの第２のセットによって利用される第２の送信サイクルからスタッガされる、
システム。
【請求項１０】
前記接続状態がＲＲＣ＿ＣＯＮＮＥＣＴＥＤ状態を備える、請求項９に記載のシステム。
【請求項１１】
前記ワイヤレスデバイスが、しきい値に関して定義された遅延耐性を有する遅延耐性デバイスを備え、前記遅延耐性が前記第１の送信サイクルに少なくとも部分的に基づく、請求項９に記載のシステム。
【請求項１２】
不連続送信（ＤＴＸ）サイクルが前記第１の送信サイクルと前記第１のオフサイクルとを備える、請求項９に記載のシステム。
【請求項１３】
基地局から前記ＤＴＸサイクルのインジケーションを受信するための手段と、
前記受信されたＤＴＸサイクルインジケーションに従って送信するための手段と
をさらに備える、請求項１２に記載のシステム。
【請求項１４】
ＤＲＸ  ＯＮ持続時間とＤＲＸ  ＯＦＦ持続時間とを備える不連続受信（ＤＲＸ）サイクルマスクを利用するための手段をさらに備え、ここにおいて、前記ワイヤレスデバイスは、前記ＤＲＸ  ＯＦＦ持続時間中に受信するのを控える、請求項１４に記載のシステム。
【請求項１５】
前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、または、
前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、請求項１４に記載のシステム。
【手続補正２】
【補正対象書類名】明細書
【補正対象項目名】０１２８
【補正方法】変更
【補正の内容】
【０１２８】
[0139]本開示についての以上の説明は、当業者が本開示を作成または使用することができるように提供される。本開示への様々な修正は当業者には容易に明らかとなり、本明細書で定義された一般原理は、本開示の趣旨または範囲から逸脱することなく他の変形形態に適用され得る。したがって、本開示は、本明細書で説明した例および設計に限定されるべきでなく、本明細書で開示する原理および新規の特徴に合致する最も広い範囲を与えられるべきである。
以下に本願の出願当初の特許請求の範囲に記載された発明を付記する。
[Ｃ１]  ワイヤレス通信システムにおける接続状態にあるワイヤレスデバイスのための過負荷制御の方法であって、前記方法は、
アップリンクチャネルについて第１の送信サイクルを識別することと、
前記アップリンクチャネルについて前記第１の送信サイクルに関して第１のオフサイクルを識別することと、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信することとを備える、方法。
[Ｃ２]  前記ワイヤレスデバイスが、前記第１の送信サイクルを利用するワイヤレスデバイスの第１のセットの一部であり、
第２のワイヤレスデバイスが、前記第１の送信サイクルからスタッガされた第２の送信サイクルを利用するワイヤレスデバイスの第２のセットの一部である、Ｃ１に記載の方法。
[Ｃ３]  前記接続状態がＲＲＣ＿ＣＯＮＮＥＣＴＥＤ状態を備える、Ｃ１に記載の方法。
[Ｃ４]  前記ワイヤレスデバイスが、しきい値に関して定義された遅延耐性を有する遅延耐性デバイスを備え、前記遅延耐性が前記第１の送信サイクルに少なくとも部分的に基づく、Ｃ１に記載の方法。
[Ｃ５]  不連続送信（ＤＴＸ）サイクルが前記第１の送信サイクルと前記第１のオフサイクルとを備える、Ｃ１に記載の方法。
[Ｃ６]  基地局から前記ＤＴＸサイクルのインジケーションを受信することと、
前記受信されたＤＴＸサイクルインジケーションに従って送信することとをさらに備える、Ｃ５に記載の方法。
[Ｃ７]  ＤＲＸ  ＯＮ持続時間とＤＲＸ  ＯＦＦ持続時間とを備える不連続受信（ＤＲＸ）サイクルマスクを利用することをさらに備え、ここにおいて、前記ワイヤレスデバイスは、前記ＤＲＸ  ＯＦＦ持続時間中に受信するのを控える、Ｃ５に記載の方法。
[Ｃ８]  前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、Ｃ７に記載の方法。
[Ｃ９]  前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、Ｃ７に記載の方法。
[Ｃ１０]  ワイヤレス通信システムにおける接続状態にあるワイヤレスデバイスの過負荷制御のためのシステムであって、前記システムは、
アップリンクチャネルについて第１の送信サイクルを識別するための手段と、
前記アップリンクチャネルについて前記第１の送信サイクルに関して第１のオフサイクルを識別するための手段と、ここにおいて、前記ワイヤレスデバイスは、前記第１のオフサイクル中に送信するのを控える、
前記識別された第１の送信サイクルに従ってスケジューリング要求またはランダムアクセスチャネルメッセージを送信するための手段とを備える、システム。
[Ｃ１１]  前記ワイヤレスデバイスが、前記第１の送信サイクルを利用するワイヤレスデバイスの第１のセットの一部であり、
第２のワイヤレスデバイスが、前記第１の送信サイクルからスタッガされた第２の送信サイクルを利用するワイヤレスデバイスの第２のセットの一部である、Ｃ１０に記載のシステム。
[Ｃ１２]  前記接続状態がＲＲＣ＿ＣＯＮＮＥＣＴＥＤ状態を備える、Ｃ１０に記載のシステム。
[Ｃ１３]  前記ワイヤレスデバイスが、しきい値に関して定義された遅延耐性を有する遅延耐性デバイスを備え、前記遅延耐性が前記第１の送信サイクルに少なくとも部分的に基づく、Ｃ１０に記載のシステム。
[Ｃ１４]  不連続送信（ＤＴＸ）サイクルが前記第１の送信サイクルと前記第１のオフサイクルとを備える、Ｃ１０に記載のシステム。
[Ｃ１５]  基地局から前記ＤＴＸサイクルのインジケーションを受信するための手段と、
前記受信されたＤＴＸサイクルインジケーションに従って送信するための手段とをさらに備える、Ｃ１４に記載のシステム。
[Ｃ１６]  ＤＲＸ  ＯＮ持続時間とＤＲＸ  ＯＦＦ持続時間とを備える不連続受信（ＤＲＸ）サイクルマスクを利用するための手段をさらに備え、ここにおいて、前記ワイヤレスデバイスは、前記ＤＲＸ  ＯＦＦ持続時間中に受信するのを控える、Ｃ１４に記載のシステム。
[Ｃ１７]  前記ＤＲＸサイクルの各ＤＲＸ  ＯＮ持続時間が前記ＤＴＸサイクルのＤＴＸ  ＯＮ持続時間と一致し、前記ＤＴＸサイクルが前記ＤＲＸサイクルよりも短い期間を有する、Ｃ１６に記載のシステム。
[Ｃ１８]  前記ＤＴＸサイクルの各ＤＴＸ  ＯＮ持続時間が前記ＤＲＸサイクルのＤＲＸ  ＯＮ持続時間と一致し、前記ＤＲＸサイクルが前記ＤＴＸサイクルよりも短い期間を有する、Ｃ１６に記載のシステム。
[Ｃ１９]  ワイヤレス通信システムにおけるワイヤレスデバイスの監視のための方法であって、前記方法が、
ワイヤレスデバイスと基地局との間のハンドシェイク後に前記ワイヤレスデバイスにおいてタイマーを開始することと、
前記タイマーの満了時に前記基地局にキープアライブハンドシェイク開始メッセージを送信することとを備える、方法。
[Ｃ２０]  前記キープアライブハンドシェイク開始メッセージがランダムアクセスプリアンブルを備える、Ｃ１９に記載の方法。
[Ｃ２１]  前記基地局からランダムアクセス応答メッセージを受信することをさらに備える、Ｃ２０に記載の方法。
[Ｃ２２]  前記キープアライブハンドシェイク開始メッセージがスケジューリング要求を備える、Ｃ１９に記載の方法。
[Ｃ２３]  前記基地局からアップリンク許可を受信することと、
前記基地局にクロージングメッセージとともにペイロードを送信することとをさらに備える、Ｃ２２に記載の方法。
[Ｃ２４]  前記基地局にクロージングメッセージを送信するときに前記ワイヤレスデバイスにおいて前記タイマーをリセットすることをさらに備える、Ｃ１９に記載の方法。
[Ｃ２５]  ワイヤレス通信システムにおけるワイヤレスデバイスの監視のためのシステムであって、前記システムが、
前記ワイヤレスデバイスと基地局との間のハンドシェイク後に前記ワイヤレスデバイスにおいてタイマーを開始するための手段と、
前記タイマーの満了時に前記基地局にキープアライブハンドシェイク開始メッセージを送信するための手段とを備える、システム。
[Ｃ２６]  前記キープアライブハンドシェイク開始メッセージがランダムアクセスプリアンブルを備える、Ｃ２５に記載のシステム。
[Ｃ２７]  前記基地局からランダムアクセス応答メッセージを受信するための手段をさらに備える、Ｃ２６に記載のシステム。
[Ｃ２８]  前記キープアライブハンドシェイク開始メッセージがスケジューリング要求を備える、Ｃ２５に記載のシステム。
[Ｃ２９]  前記基地局からアップリンク許可を受信するための手段と、
前記基地局にクロージングメッセージとともにペイロードを送信するための手段とをさらに備える、Ｃ２８に記載のシステム。
[Ｃ３０]  前記基地局にクロージングメッセージを送信するときに前記ワイヤレスデバイスにおいて前記タイマーをリセットするための手段をさらに備える、Ｃ２５に記載のシステム。